(57)【特許請求の範囲】
【請求項１】
複数の端末が利用する複数のＣＰＵと、この複数のＣＰＵにバスを介して接続する大容量メモリ及びプログラムメモリと、予め定められた期間内の前記大容量メモリの使用容量及び使用したプログラムコードが含まれて記憶してある管理用メモリと、前記複数の端末のそれぞれの要求に応じて前記複数のＣＰＵとの接続を含む接続を行う接続切換部と、前記管理用メモリに接続し、前記複数の端末からの要求に基づいて前記接続切換部の接続切換の制御を行う制御・処理部とを有することを特徴とする中継処理センタ。
【請求項２】
中継処理センタと、前記中継処理センタに接続された少なくとも１つの端末を備えた通信システムであって、前記端末は、記憶手段、入力手段及び表示手段を備え、前記入力手段からの起動命令の入力によって前記中継処理センタに接続され、前記中継処理センタは、処理手段及び大容量記憶手段を備え、前記処理手段及び前記大容量記憶手段を利用して、受信した前記起動命令に基づいてプログラムを起動させ、これらの処理結果の情報を前記大容量記憶手段に記憶させた後に、前記起動命令を入力した前記端末へ送出し、前記端末は、受信した前記処理結果の情報を前記記憶手段に一時的に記憶して前記表示手段に表示し、
前記複数の端末のそれぞれが前記中継処理センタの前記大容量記憶手段を使用した使用メモリ容量及び使用時間に基づいて前記複数の端末のそれぞれに対する課金を算出する課金センタを備えることを特徴とする通信システム。
【請求項３】
前記端末は、前記表示手段に前記処理結果の情報の表示の後に、前記入力手段から終了命令を入力することによって前記中継処理センタへ前記起動命令の終了を通知し、前記中継処理センタが前記起動命令の終了を受信すると、前記起動命令を実行した前記処理手段は、前記大容量記憶手段の利用したメモリ容量を算出して管理メモリ記憶手段に記憶し、前記大容量記憶手段の使用したメモリ領域をクリアした後に中央制御・処理手段によって開放されることを特徴とする請求項２記載の通信システム。
【請求項４】
請求項２又は３のいずれかの請求項に記載された通信システムであって、前記通信システムは複数の基地局をさらに備え、前記端末は前記基地局に無線回線で接続される移動端末であって、前記基地局を介して前記中継処理センタに接続され、前記中継処理センタは前記処理結果の情報を前記基地局を介して送出することを特徴とする通信システム。
【請求項５】
前記課金センタは、予め定められた期日に、予め定められた期間の前記複数の端末のそれぞれの前記中継処理センタの利用期間情報を収集し、また前記中継処理センタから前記予め定められた期間の前記複数の端末のそれぞれの前記大容量記憶手段の利用した使用メモリ容量を前記管理メモリ記憶手段から収集し、前記複数の端末のそれぞれに対する課金を前記期間情報及び使用メモリ容量を基に算出して請求書を発行することを特徴とする請求項２、３及び４のいずれかの請求項に記載された記載の通信システム。
【請求項６】
複数の端末と、前記複数の端末のそれぞれからの受信した命令に基づく処理を行う中継処理センタと、前記複数の端末のそれぞれが前記中継処理センタを使用した使用メモリ容量及び使用時間に基づいて前記複数の端末のそれぞれに対する課金を算出する課金センタとを備え、前記中継処理センタは、前記課金センタにインタフェースする課金インタフェース部と、前記複数の端末が利用する複数のＣＰＵと、この複数のＣＰＵにバスを介して接続する大容量メモリ及びプログラムメモリと、予め定められた期間内の前記大容量メモリの使用容量及び使用したプログラムコードが含まれて記憶してある管理用メモリと、前記複数の端末のそれぞれ要求に応じて、前記複数のＣＰＵとの接続を含む接続を行う接続切換部と、前記管理用メモリに接続し、また、前記接続切換部を前記複数の端末からの要求に基づいて前記接続切換部の接続切換の制御を行い、前記管理用メモリから課金に必要な情報を前記課金センタへ転送する制御・処理部とを有することを特徴とする通信システム。
【請求項７】
前記複数の端末は移動端末であって、この複数の移動端末を無線回線で接続する複数の基地局と、この複数の基地局と接続回線で接続すると共に前記複数の移動端末のそれぞれからの受信した命令に基づく処理を行う中継処理センタと、前記中継処理センタは、前記複数の基地局にインタフェースする基地局インタフェース部と、前記複数の移動端末のそれぞれ要求に応じて、前記基地局インタフェース部と前記複数のＣＰＵとの接続を含む接続を行う接続切換部とを有することを特徴とする請求項６記載の通信システム。
【請求項８】
前記複数の基地局のそれぞれは、自己のサービスエリア内の前記移動端末と送受信情報の無線による送受信を行う第１の無線部と、受信した前記移動端末のそれぞれに対する前記中継処理センタを使用した受信日時，及び通信期間の時刻計測を行うタイマと、前記中継処理センタを使用した受信日時及び通信期間を含む情報を記憶するメモリと、前記中継処理センタとインタフェースするセンタインタフェース部と、前記課金センタにインタフェースする課金インタフェース部と、自己基地局内の各部を制御する共に、前記センタインタフェース部及び前記課金インタフェース部を介して送受信情報の送受信制御及び課金情報の送信制御を行う第１の制御部とを有していることを特徴とする請求項７記載の通信システム。
【請求項９】
前記複数の移動端末のそれぞれは、ダイヤル番号、アドレス及び使用するプログラムのブラウザの起動命令語を含む情報を入力する操作部と、前記操作部から入力した情報及び前記基地局を介しての送受信情報を表示する表示部と、前記送受信情報の一時記憶及び自己の内部を制御するプログラムが記憶され自己の移動端末に必要最小限の容量を持った記憶部と、前記送受信情報の前記無線回線の送受信を行う第２の無線部と、自己の移動端末内の各部を制御する共に前記送受信情報の送受信の制御を行う第２の制御部とを有していることを特徴とする請求項７及び８のいずれかの請求項に記載された通信システム。
【発明の詳細な説明】
【０００１】
【発明の属する技術分野】
本発明は移動体通信システムに関し、特に必要最小限容量を持った記憶部とを有する移動端末機が必要が生じた時に使用するメモリを有した中央処理システムに接続できる移動体通信システム。
【０００２】
【従来の技術】
この種の従来の技術について図面を参照して説明する。
【０００３】
図７は第１の従来例の移動機を示すブロック図、図８は図７に示す移動機の適用例のシステムを示す模式図である。
【０００４】
図７，図８においてこの第１の従来例の移動端末機は、特開平１０−１６４１７１号公報の開示内容を示し、情報端末１０１と、ＰＣＭＣＩＡカード型移動機（以下移動機）１０２とからなり、移動機１０２のアンテナ部、無線部を有するＰＣＭＣＩＡカードを情報端末１０１である携帯型パソコン（ノートパソコンなど）と接続し、通信プロトコルの制御を携帯型パソコンのソフトウェアで行う。これにより、移動機１０２のバッテリー部、表示部などを省くことが可能となり、コスト削減、小型化が可能となる。また、無線部１２３および通信プロトコルの変更により、様々な移動機（ＰＨＳ、携帯電話など）の周波数帯に対応することが可能となる。通常移動機に有するモニター部、電源部、ダイヤル部を必要としないため、小型化を計ることができ、携帯性が向上する。また、ＰＣＭＣＩＡカードの無線部１０２、通信プロトコルを変更することにより、移動機１０２の様々な周波数帯に対応することが可能となり、汎用性が向上する。
【０００５】
図９は第２の従来例との移動通信システムを示す模式図である。
【０００６】
図９において、この第２の従来例の移動通信システム（携帯電話システム）は、特開２０００−２０７２１６号公報の開示内容を示し、携帯端末装置２３０は、携帯電話システムを介して公衆電話回線網２１０と接続され、情報通信が可能である。携帯端末装置２３０が移動して１つのサービスエリアに入ると、携帯電話基地局から地域識別コードを受信する。携帯端末装置２３０には、移動開始前に、移動先の地域識別コードあるいは時間の条件が設定され、設定された条件が満たされるとホストコンピュータサーバ２００を自動ダイヤルで呼び出し、アプリケーションプログラムやデータファイルの転送を要求する。ホストコンピュータサーバ２００は、ハードディスク２４０を検索し、要求されたアプリケーションプログラムおよびデータファイルを探して、携帯端末装置２３０に転送する。
【０００７】
【発明が解決しようとする課題】
従来の技術においては、ｉモード等により、モバイルインターネットが盛んになっているが、データ端末が小さくなりすぎ、巨大容量のデータ通信を行って、それを表示するには、メモリの許容容量を越えるなどし、固定パソコンと完全に同様なＷＥＢを見ることが不可能な場合がある。また、データ端末が、携帯機等の場合、表示画面が小さいため、見辛いという問題点がある。
【０００８】
前記第１の従来例に示すようにパソコン自体にＰＣＭＣＩＡカード型移動機等の無線通信ユニットを接続し、対応しようとする技術が提案されているが、これもメモリ容量を大きくしたり、ＨＤＤの容量を増やせば増やすほど、パソコンの形状・質量が大きくなる等の問題点がある。どうしても、ノートパソコンの域を越えないものになってしまうという問題点がある。
【０００９】
また、第２の従来例においても、単にアプリケーションプログラムやデータファイル用のメモリを一時的に収容するメモリ容量を必要とし、携帯端末装置のメモリ容量を少なくするという問題点を解決していない。
【００１０】
（発明の目的）
本発明は、移動端末に必要最小限の機能を持たせ、必要な処理は全て中継処理センタで行い移動端末のユーザーには中継処理センタの利用に基づいた課金を請求する移動通信システムとその運用のビジネスを提供することを目的とする。
【００１１】
【課題を解決するための手段】
本発明の中継処理センタは、複数の端末が利用する複数のＣＰＵと、この複数のＣＰＵにバスを介して接続する大容量メモリ及びプログラムメモリと、予め定められた期間内の前記大容量メモリの使用容量及び使用したプログラムコードが含まれて記憶してある管理用メモリと、前記複数の端末のそれぞれの要求に応じて前記複数のＣＰＵとの接続を含む接続を行う接続切換部と、前記管理用メモリに接続し、前記複数の端末からの要求に基づいて前記接続切換部の接続切換の制御を行う制御・処理部とを有とを有する。
【００１２】
本発明の通信システムは、中継処理センタと、前記中継処理センタに接続された少なくとも１つの端末を備えた通信システムであって、前記端末は、記憶手段、入力手段及び表示手段を備え、前記入力手段からの起動命令の入力によって前記中継処理センタに接続され、前記中継処理センタは、処理手段及び大容量記憶手段を備え、前記処理手段及び前記大容量記憶手段を利用して、受信した前記起動命令に基づいてプログラムを起動させ、これらの処理結果の情報を前記大容量記憶手段に記憶させた後に、前記起動命令を入力した前記端末へ送出し、前記端末は、受信した前記処理結果の情報を前記記憶手段に一時的に記憶して前記表示手段に表示する。また、前記端末は、前記表示手段に前記処理結果の情報の表示の後に、前記入力手段から終了命令を入力することによって前記中継処理センタへ前記起動命令の終了を通知し、前記中継処理センタが前記起動命令の終了を受信すると、前記起動命令を実行した前記処理手段は、前記大容量記憶手段の利用したメモリ容量を算出して管理メモリ記憶手段に記憶し、前記大容量記憶手段の使用したメモリ領域をクリアした後に中央制御・処理手段によって開放される。また、本発明の通信システムは、複数の基地局をさらに備え、前記端末は前記基地局に無線回線で接続される移動端末であって、前記基地局を介して前記中継処理センタに接続され、前記中継処理センタは前記処理結果の情報を前記基地局を介して送出する。また、前記複数の端末のそれぞれが前記中継処理センタの前記大容量記憶手段を使用した使用メモリ容量及び使用時間に基づいて前記複数の端末のそれぞれに対する課金を算出する課金センタを備える。また、前記課金センタは、予め定められた期日に、予め定められた期間の前記複数の端末のそれぞれの前記中継処理センタの利用期間情報を収集し、また前記中継処理センタから前記予め定められた期間の前記複数の端末のそれぞれの前記大容量記憶手段の利用した使用メモリ容量を前記管理メモリ記憶手段から収集し、前記複数の端末のそれぞれに対する課金を前記期間情報及び使用メモリ容量を基に算出して請求書を発行する。また、本発明の通信システムは、複数の端末と、前記複数の端末のそれぞれからの受信した命令に基づく処理を行う中継処理センタと、前記複数の端末のそれぞれが前記中継処理センタを使用した使用メモリ容量及び使用時間に基づいて前記複数の端末のそれぞれに対する課金を算出する課金センタとを備え、前記中継処理センタは、前記課金センタにインタフェースする課金インタフェース部と、前記複数の端末が利用する複数のＣＰＵと、この複数のＣＰＵにバスを介して接続する大容量メモリ及びプログラムメモリと、予め定められた期間内の前記大容量メモリの使用容量及び使用したプログラムコードが含まれて記憶してある管理用メモリと、前記複数の端末のそれぞれ要求に応じて、前記複数のＣＰＵとの接続を含む接続を行う接続切換部と、前記管理用メモリに接続し、また、前記接続切換部を前記複数の端末からの要求に基づいて前記接続切換部の接続切換の制御を行い、前記管理用メモリから課金に必要な情報を前記課金センタへ転送する制御・処理部とを有する。また、本発明の通信システムは、前記複数の端末は移動端末であって、この複数の移動端末を無線回線で接続する複数の基地局と、この複数の基地局と接続回線で接続すると共に前記複数の移動端末のそれぞれからの受信した命令に基づく処理を行う中継処理センタと、前記中継処理センタは、前記複数の基地局にインタフェースする基地局インタフェース部と、前記複数の移動端末のそれぞれ要求に応じて、前記基地局インタフェース部と前記複数のＣＰＵとの接続を含む接続を行う接続切換部とを有する。また、本発明の通信システムは、前記複数の基地局のそれぞれは、自己のサービスエリア内の前記移動端末と送受信情報の無線による送受信を行う第１の無線部と、受信した前記移動端末のそれぞれに対する前記中継処理センタを使用した受信日時，及び通信期間の時刻計測を行うタイマと、前記中継処理センタを使用した受信日時及び通信期間を含む情報を記憶するメモリと、前記中継処理センタとインタフェースするセンタインタフェース部と、前記課金センタにインタフェースする課金インタフェース部と、自己基地局内の各部を制御する共に、前記センタインタフェース部及び前記課金インタフェース部を介して送受信情報の送受信制御及び課金情報の送信制御を行う第１の制御部とを有している。また、本発明の通信システムは、前記複数の移動端末のそれぞれは、ダイヤル番号、アドレス及び使用するプログラムのブラウザの起動命令語を含む情報を入力する操作部と、前記操作部から入力した情報及び前記基地局を介しての送受信情報を表示する表示部と、前記送受信情報の一時記憶及び自己の内部を制御するプログラムが記憶され自己の移動端末に必要最小限の容量を持った記憶部と、前記送受信情報の前記無線回線の送受信を行う第２の無線部と、自己の移動端末内の各部を制御する共に前記送受信情報の送受信の制御を行う第２の制御部とを有している。
【００１３】
【発明の実施の形態】
次に、本発明について図面を参照して説明する。
【００１４】
図１は本発明の一実施の形態の移動体通信システムを示すシステム構成図である。
【００１５】
図１において、本実施の形態の移動体通信システムは、この移動体通信システムを提供する通信業者に予め登録され通信に対して必要最小限のメモリ容量を持った複数の移動端末１−１〜１−ｎと、この移動端末１−１〜１−ｎの無線の中継を行うと共に通信時の日，時及び通信期間を計測する複数の基地局２−１〜２−ｍと、基地局２−１〜２−ｍと接続回線６を介して接続しまたインターネットを含む通信網５に接続し、また移動端末１−１〜１−ｎのそれぞれに対する契約に関する管理情報を記憶し、移動端末１−１〜１−ｎが通信網５を介して通信中に移動端末１−１〜１−ｎのそれぞれが必要な複数のプログラム及び使用するプログラムに応じた処理およびメモリを利用することができ、処理した結果を基地局２−１〜２−ｍを介して利用した移動端末へ送信する中継処理センタ３と、前記移動端末１−１〜１−ｎのそれぞれに対する基地局２−１〜２−ｍからの計測した中継処理センタ３を利用した日，時，通信期間を接続回線７を介して受信し、また、中継処理センタ３からの利用したメモリ容量等とを受信して、移動端末１−１〜１−ｎそれぞれの予め定められた期間のこの移動体通信システムに対する契約基本料金の基に課金を算出して請求書４１を作成する課金センタ４とを備えている。
【００１６】
図２は本実施の形態の移動体通信システムにおける移動端末を示すブロック図である。
【００１７】
図２において、移動端末１は、図１に示す移動端末１−１〜１−ｎの代表を示し、ダイヤル番号，アドレス及び使用するプログラムのブラウザの起動命令語等を入力する操作部１２と、操作部１２から入力した情報及び送受信情報等を表示する表示部１１と、送受信情報の一時記憶及び移動端末１を制御するプログラム等が記憶され移動端末１の必要最小限の容量を持った記憶部１３と、送受信情報の無線の送受信を行う無線部１４と、移動端末１内の各部を制御すると共に送受信情報の送受信の制御を行う制御部１５とを有している。
【００１８】
図３は本実施の形態の移動体通信システムにおける基地局を示すブロック図、図４は図３に示す基地局内のメモリの構成を示す図である。
【００１９】
図３において、基地局２は、図１において示す基地局２−１〜２−ｍの代表を示し、自己のサービスエリア内の移動端末１と送受信情報の無線による送受信を行う無線部２１と、受信した移動端末のそれぞれに対する中継処理センタ３を使用した受信日時，及び通信期間の時刻の計測を行うタイマ２２と、中継処理センタ３を使用した受信日時及び通信期間等を記憶するメモリ２３と、中継処理センタ３とインタフェースするセンタインタフェース部２４と、課金センタ４にインタフェースする課金インタフェース部２５と、基地局２内の各部を制御すると共に、センタインタフェース部２４及び課金インタフェース部２５を介して送受信情報の送受信制御及び課金情報の送信制御を行う制御部２６とを有している。
【００２０】
図４において、メモリ２３は、基地局２を経由して中継処理センタ３の利用による通信を行った移動端末の契約番号，端末番号又は電話番号と中継処理センタ３を利用した時間が記憶される。
【００２１】
図５は本実施の形態の移動体通信システムにおける中継処理センタを示すブロック図、図６は図５に示す中継処理センタ内の大容量メモリの構成を示す図である。
【００２２】
図５において、本実施の形態の移動体通信システムにおける中継処理センタ３は、基地局２−１〜２−ｍにインタフェースする基地局インタフェース部３１と、通信網５にインタフェースする網インタフェース部３５と、課金センタ４にインタフェースする課金インタフェース部３６と、移動端末１−１〜１−ｎが利用する複数のＣＰＵ３７−１，３７−２〜３７−Ｐと、このＣＰＵ３７−１，３７−２〜３７−Ｐにバス４０を介して接続する大容量メモリ３８及びプログラムメモリ３９と、移動端末１−１〜１−ｎの契約情報，（例えば契約者の氏名，住所，移動端末の番号）予め定められた期間内の大容量メモリ３８の使用容量，使用したプログラムコード等が記憶してある管理用メモリ３４と、移動端末１−１〜１−ｎの要求に応じて、基地局インタフェース部３１と網インタフェース部３５との接続又は基地局インタフェース部３１とＣＰＵ３−１〜３７−Ｐの接続等を行う接続切換部３２と、管理用メモリ３４に接続し、また、接続切換部３２を移動端末１−１〜１−ｎからの要求に基づいて接続切換部３２等の接続切換の制御を行い、管理用メモリ３４から課金に必要な情報を課金センタ４へ転送する制御・処理部３３とを有している。
【００２３】
図６において、大容量メモリ３８には、ＣＰＵ３７−１〜３７−Ｐを介して使用した移動端末の端末番号，使用命令コード，使用プログラムコード，実行処理した結果のデータ等の格納に利用したメモリ領域，インターネットを介して受信データによるメモリ領域等が格納されていて、これらは、課金に必要なデータとして利用され、利用したメモリ容量は、制御・処理部３３の処理の基に管理用メモリ３４に蓄積され、課金データとして使用される。
【００２４】
次に、本実施の形態の移動体通信システムの動作について、図１〜図６を参照して説明する。
【００２５】
移動端末１−１のユーザーが、インターネットに接続する場合を例にして説明を行う。
【００２６】
この場合、中継処理センタ３の管理用メモリ３４には移動端末１−１のユーザーの契約に関する情報が予め登録されているものとする。即ち移動端末１−１のユーザーの氏名，住所，移動端末１−１の電話番号及びインターネットのプロバイダー名及び自己のアドレス等が登録されているものとする。
【００２７】
先ず、移動端末１−１のユーザーは、操作部１２から、インターネットのブラウザ起動命令（例えば、インタネットエクスプローラ等）を表示部１１に表示されているアイコンをクリックして入力する。
【００２８】
この入力が制御部１５で検出されると移動端末１（１−１）のそれぞれが記憶部１３に格納しているプログラムによって記憶部１３に予め記憶されているユーザーの情報として自己の端末番号及びアドレスを読出し、無線部１４を介して近くの基地局２−１へユーザー情報と共にブラウザの起動命令信号が送出される。
【００２９】
基地局２−１の制御部２６は無線部２１を介して受信したユーザー情報及びブラウザの起動命令を解析し、ユーザー情報の端末番号と受信の開始時刻とをメモリ２３に図４に示すメモリ構成内に記憶し、インターネットのブラウザの起動命令信号の解析からセンタインタフェース部２４，接続回線６を介して中継処理センタ３へその起動命令信号をユーザー情報と共に送信する。
【００３０】
中継処理センタ３では、制御・処理部３３は基地局インタフェース部３１を介して受信情報のユーザー情報及びインターネットのブラウザ起動命令を解析し、管理用メモリ３４から、登録された移動端末からの情報であるかを解析し、現在空き状態のＣＰＵ（例えばＣＰＵ３７−１）へ受信情報を転送すべく接続切換部３２を制御する。
【００３１】
接続されたＣＰＵ３７−１は受信情報を基に大容量メモリ３８に図６に示すように受信した端末番号、起動命令コード，及びプログラムメモリ３９から起動命令コードに基づく使用するプログラムコードを記憶させ、制御・処理部３３にインターネットへの接続を要求する。
【００３２】
制御・処理部３３が接続切換部３２に対する制御によって、ＣＰＵ３７−１を網インタフェース部３５を介してユーザーが登録しているプロバイダーを介してインターネットに接続し、受信した起動命令に基づくプログラムが実行される。
【００３３】
実行されたプログラム（圧縮情報の解凍、暗号情報の解説等）によってインターネットからの受信情報は端末番号に対応付けて大容量メモリ３８に記憶される。
【００３４】
ＣＰＵ３７−１はインターネットからの受信情報が大容量メモリ３８に記憶されると、制御・処理部３３に基地局２−１への接続要求を行う（接続状態が継続している場合にはこの必要はない）。
【００３５】
中継処理センタ３と基地局２−１とが接続されるとＣＰＵ３７−１は大容量メモリ３８から基地局２−１を介して移動端末１−１へインターネットの受信情報と転送する。
【００３６】
基地局２−１は受信したインターネット情報を直接無線変換し、無線部２１を介して移動端末１−１へ転送する。
【００３７】
移動端末１−１の制御部１５は無線部１４を介して受信したインターネットの受信情報を一時的に記憶部１３に記憶した後に表示部１１に表示させ、操作部１２からのスクロール入力によって、何回も見ることができる。
【００３８】
移動端末１−１のユーザーは操作部１２から終了を入力すると、制御部１５は無線部１４を介して基地局２−１へ終了信号を送信する。
【００３９】
基地局２−１の制御部２６は無線部２１を介して移動端末１−１からの終了信号を受信するとタイマ２２からの時刻信号によってメモリ２３の移動端末１−１の端末番号のエリアに終了時刻を記憶し、開始時刻を参照して中継処理センタ３の利用期間を算出し記憶する。また基地局２−１は中継処理センタ３へセンタインタフェース部２４を介して終了信号を送出する。
【００４０】
中継処理センタ３の制御・処理部３３は、基地局インタフェース部３１を介して基地局２−１からの終了信号を受信すると接続切換部３２を制御してＣＰＵ３７−１と基地局２−１との接続を切断し、ＣＰＵ３７−１に対して、移動端末１−１が使用した大容量メモリ３８のメモリ領域の開放を指示すると共に、使用したメモリ容量のデータを受信し、移動端末１−１の使用はメモリ容量のデータを管理用メモリ３４に記憶する。
【００４１】
以上の結果、移動端末１−１からのインターネットのブラウザの起動命令の入力による一連の動作は終了する。
【００４２】
尚、課金センタ４は、毎月、予め定められた期日に、基地局２−１〜２−ｍから移動端末１−１〜１−ｎのそれぞれが中継処理センタ３を利用した期間の送出を要求し、基地局２−１〜２−ｍのそれぞれのメモリ２３から、利用時間データを受信する。また、中継処理センタ３に対しては移動端末１−１〜１−ｎのそれぞれの大容量メモリ３８のメモリ使用容量データ等を要求して受信する。
【００４３】
課金センタ４は受信した各移動端末１−１〜１−ｎごとの利用時間データ及びメモリ使用容量データ等から、課金を算出し、移動端末１−１〜１−ｎのユーザーごとに請求書を作成し、郵送する。
【００４４】
尚、本実施の形態における移動端末１−１〜１−ｎと基地局２−１〜２−ｍ間の無線区間については、衛星移動通信、ＰＨＳ、ＰＡＣＳ、ＷＬＬ及びＷ−ＣＤＭＡ（ＩＭＴ−２０００）等の無線システムを利用することもでき、その方式は問わない。何故ならば、移動端末１−１〜１−ｎのそれぞれの無線部１４のソフトウェア（ファームウェア）の変更により対応できるからである。
【００４５】
また、基地局２−１〜２−ｍと中継処理センタ３及び課金センタ４間の接続回線６及び７はＮＴＴからのレンタルによる高速データ通信回線の専用回線を利用しても良いし、また、基地局２−１〜２−ｍと中継処理センタ３間をパソリンクのような無線回線を利用しても良い。
【００４６】
更に、本実施の形態においては、中継処理センタ３に、専用装置を利用することによる説明であるが、汎用のコンピュータを多重化処理によって利用することもできる。
【００４７】
以上に示したように本実施の形態の移動体通信システムにおいては、移動端末１−１〜１−ｎのそれぞれは一つのパーソナルコンピュータの入力部の機能を有し、中継処理部３内のＣＰＵ３−１〜３７−２の１個のＣＰＵと大容量メモリ３８とプログラムメモリ３９とを共同で利用したパーソナルコンピュータの処理部の機能を有し、入出力部と処理部とが分離された構成の通信機能を有するパーソナルコンピュータとなり、入出力部の移動端末を最小限のメモリを持たせて小型化を目的としている。
【００４８】
また、この小型化された移動端末の利用によるビジネスを展開することを目的として、通信料金とは別に、この移動体システムの利用による課金を収入源とするビジネスとなる。
【００４９】
【発明の効果】
以上説明したように本発明は、予め契約された複数の移動端末と、この複数の移動端末を無線回線で接続する複数の基地局と、この複数の基地局と接続回線で接続すると共に通信業者が提供するインターネットを含む通信網に接続する共に複数の移動端末のそれぞれからの受信した命令に基づいて処理を行う複数の処理手段及び大容量記憶手段を備える中継処理センタと、複数の移動端末のそれぞれが中継処理センタの大容量記憶手段を使用した使用メモリ容量及び使用時間に基づいて複数の移動端末のそれぞれに対する課金を算出する課金センタとを備えることにより、下記に示す効果を得ることができる。
【００５０】
１．移動端末のユーザー側としては、最低限の機能が搭載された装置を持つだけで、何時でも何処でもパソコンと同等な機能を使用できるようになり、本発明の移動システムの移動通信業者側は、データ通信による通信料金とは別に、中継処理センタの作業領域レンタルビジネスなる新規事業を提供する事が可能になる。
【００５１】
２．移動端末のユーザー側は、最低限の機材のみ準備すれば、現状での通常パソコンと同等の機能が得られるので、初期投資が少なくすむ。
【００５２】
３．移動端末のユーザー側は、最低限の機材準備ですむので、より一層の小型・軽量化を押し進めることができる。
【００５３】
４．現在、ｉモードやＥＺｗｅｂ等において、モバイルインターネットが運用されているが、データ容量が大きい（画像、動画）場合やデータ通信機器（端末）側のメモリ容量不足等により完全に固定パソコンと同じＷＥＢ等を見ることができない場合があるが、本発明の移動通信システムによって、移動通信網（無線区間）のデータ伝送速度が技術的により早くなれば、移動時にも、現状の固定パソコンと全く変わらないインターネット接続等のモバイルネットワークが可能になる。
【図面の簡単な説明】
【図１】本発明の一実施の携帯の移動体通信システムを示すシステム構成図である。
【図２】本発明の形態の移動体通信システムにおける移動端末を示すブロック図である。
【図３】本実施の形態の移動体通信システムにおける基地局を示すブロック図である。
【図４】図３に示す基地局内のメモリの構成を示す図である。
【図５】本実施の形態の移動体通信システムにおける中継処理センタを示すブロック図である。
【図６】図５に示す中継処理センタ内の大容量メモリの構成を示す図である。
【図７】第１の従来例の移動機を示すブロック図である。
【図８】図７に示す移動機の適用例のシステムを示す模式図である。
【図９】第２の従来例の移動通信システムを示す模式図である。
【符号の説明】
１，１−１〜１−ｎ    移動端末
２，２−１〜２−ｍ    基地局
３    中継処理センタ
４    課金センタ
５    通信網
６，７    接続回線
１１    表示部
１２    操作部
１３    記憶部
１４    無線部
１５    制御部
２１    無線部
２２    タイマ
２３    メモリ
２４    センタインタフェース部
２５    課金インタフェース部
３１    基地局インタフェース部
３２    接続切換部
３３    制御・処理部
３４    管理用メモリ
３５    網インタフェース部
３６    課金インタフェース部
３７−１〜３７−Ｐ    ＣＰＵ
３８    大容量メモリ
３９    プログラムメモリ
４０    バス
４１    請求書
【図１】
0004190737.tif 000002
【図２】
0004190737.tif 000003
【図３】
0004190737.tif 000004
【図４】
0004190737.tif 000005
【図５】
0004190737.tif 000006
【図６】
0004190737.tif 000007
【図７】
0004190737.tif 000008
【図８】
0004190737.tif 000009
【図９】
0004190737.tif 000010